(57)【特許請求の範囲】
【請求項１】
板金に取り付けられる基板と、
前記基板に実装されカードが挿入される装着口を備えたカード装着部と、
前記基板及び前記カード装着部を内部に備えた筐体に形成され、カードを挿入するための開口部とを有するカード装着装置であって、
前記開口部と前記装着口との間に配置され、前記板金を切り曲げて形成されたカード導入部を有することを特徴とするカード装着装置。
【請求項２】
前記カード導入部は前記板金より突出された支持部と、
前記支持部の先端が折り曲げられて形成されたガイド部とを有しており、
前記ガイド部の前記支持部との連結部が前記開口部側に形成されている請求項１に記載のカード装着装置。
【請求項３】
前記カード導入部の少なくともガイド部の切断時に形成されるバリが前記板金側に延びるように形成されている請求項２に記載のカード装着装置。
【請求項４】
前記板金が液晶モジュールのリヤフレームである請求項１から請求項３のいずれかに記載のカード装着装置。
【発明の詳細な説明】
【技術分野】
【０００１】
本発明は、磁気カード、メモリカード等のカードが装着されるカード装着装置に関する。
【背景技術】
【０００２】
近年、ＴＶ受像機やＤＶＤレコーダ等のＡＶ機器には、放送信号に含まれる暗号を解除するための鍵データが含まれたＩＣカードや、各種データを記録することができる記憶部を備えたメモリカード等のカードを挿入することができるカード装着装置を備えている。
【０００３】
前記カードは前記ＡＶ機器に配置されているカード装着装置に挿入される。前記カード装着装置は前記カードに記録されているデータを読み取ったり、前記カードにデータを記録したりする、カード読取装置を備えている。また、カード装着装置は前記ＡＶ機器の外装に形成された開口を備えている。
【０００４】
前記カードを前記開口から前記カード読取装置に挿入するときに、前記カードの面に力が付勢されると、前記カードが斜めに挿入されてしまう。この状態で、前記カードを押し込むと先端が前記カード読取装置の挿入口に挿入されなくなってしまう。また、前記カードが誤った位置に挿入されてしまう場合もあり、前記カードを破損してしまったり、取り出せなくなってしまったりする。そこで、このような不具合の発生を抑制するために、ガイド部材を取り付けられているものがある。
【０００５】
前記ガイド部材を別途必要となり、前記ガイド部材自体及び取り付けのためのコストがアップする。図７は従来のカード装着装置の断面図である。図７に示すように、カード装着装置は、カード読取装置９１が基板９２上に実装されてなるものであり、開口９３より挿入されたカードＣｄがカード読取装置９１に正確に挿入されるように基板９２がガイドとして作用するように長く形成されている。この基板９２を伸ばすことで、カードＣｄを挿入するときにカードＣｄが誤った場所に挿入されるのを抑制することができ、カードＣｄの破損やカードＣｄが抜けなくなる不具合が発生するのを抑制することができる。
【０００６】
また、特開２００１−３４５９６９号公報には、金属製の筐体の開口部を内側に折り曲げ、その折曲げ部をカード挿入のためのガイドとして使用する情報媒体装着装置が記載されている。
【０００７】
【特許文献１】特開２００１−３４５９６９号公報
【発明の開示】
【発明が解決しようとする課題】
【０００８】
前記基板を長く形成し前記カードの挿入ガイドとするものの場合、前記カードと前記基板が接触するので、前記基板のガイドとして用いられる部分には電子部品を実装することができない。すなわち、ガイドのためだけに高価な基板を大きくしなくてはならず、コストが高くなる。また、基板を含むカード装着装置が大きくなってしまい、設計の自由度が低下してしまう。また、前記基板に実装されないカード読取装置を用いる場合、ガイドを別途取り付けなくてはならず、コストがかかる。
【０００９】
また、特開２００１−３４５９６９号公報に記載の情報媒体装置では、前記ガイド部材が必要なく、前記基板を大きくする必要がないが、カード装着装置が筐体に近接して配置されなくてはならず、ＡＶ機器の内部レイアウトに制限が必要となる。
【００１０】
そこで本発明は、カード装着装置の大きさを小さくすることができるとともに、カード装着装置を筐体の外装と近接しない内部に配置することができ、カードをカード読取装置に確実に装着することができるカードスロットを提供することを目的とする。
【課題を解決するための手段】
【００１１】
上記目的を達成するために本発明は、板金に取り付けられる基板と、前記基板に実装されカードが挿入される装着口を備えたカード装着部と、前記基板及び前記カード装着部を内部に備えた筐体に形成され、カードを挿入するための開口部とを有するカード装着装置であって、前記開口部と前記装着口との間に配置され、前記板金を切り曲げて形成されたカード導入部を有することを特徴とするカード装着装置。
【００１２】
この構成によると、前記カードを前記装着口まで導くための導入部が板金を切り曲げることで形成されているので、別途導入部材を備えるものに比べて、簡単な構成とすることができ、それだけ、コストを低減することが可能である。
【００１３】
また、導入部を備えているので、前記カード装着部を前記開口部から離れた場所に形成することができる。これにより、カード装着装置が取り付けられる機器の設計の自由度があがる。これにより、無駄な基板や配線の取り回しを必要としないので、コストを提言することができる。また、基板や配線長さを減らすことができるので、前記基板や配線が原因となる不具合が発生しにくい。
【００１４】
上記構成において、前記カード導入部は前記板金より突出された支持部と、前記支持部の先端が折り曲げられて形成されたガイド部とを有しており、前記ガイド部の前記支持部との連結部が前記開口部側に形成されているものであってもよい。
【００１５】
上記構成において、前記カード導入部の少なくともガイド部の切断時に形成されるバリが前記板金側に延びるように形成されているものであってもよい。
【００１６】
上記構成において、前記板金として液晶モジュールのリヤフレームを挙げることができる。
【発明の効果】
【００１７】
本発明によると、カード装着装置の大きさを小さくすることができるとともに、カード装着装置を筐体の外装と近接しない内部に配置することができ、カードをカード読取装置に確実に装着することができるカードスロットを提供することができる。
【発明を実施するための最良の形態】
【００１８】
以下に本発明の実施形態を図面を参照して説明する。図１は本発明にかかるカードスロットを備えたＡＶ機器の一例である液晶表示装置の正面側から見た斜視図であり、図２は図１に示す液晶表示装置の背面側から見た斜視図である。図１及び図２に示すように、液晶表示装置Ａは、少なくとも、モニタ本体１と、スタンド２と、カードＣｄが装着されるカード装着装置３とが備えられている。図１に示すようにモニタ本体１はスタンド２にて正立した状態で支持されている。なお、以下の説明においては、別途示さない場合、液晶表示装置Ａの方向（左右方向、上下方向）は正立状態及び背面側から正面側に向かった状態を基準として説明を行うこととする。
【００１９】
モニタ本体１は、フロントキャビネット１１と、リヤキャビネット１２と、液晶モジュール１３とを備えている。フロントキャビネット１１は、モニタ本体１の正面側の外装部材であり、矩形状の枠体である。フロントキャビネット１１はそれには限定されないが、ここでは樹脂の一体成型で製造される部材である。フロントキャビネット１１には、正面側に矩形状の貫通孔である窓部１１０が形成されている。
【００２０】
リヤキャビネット１２はモニタ本体１の背面側の外装部材であり、フロントキャビネット１１の背面側に嵌合される。リヤキャビネット１２もフロントキャビネット１１と同様、樹脂の一体成型にて製造されるものである。フロンとキャビネット１１とリヤキャビネット１２とで囲まれる空間の内部に、液晶モジュール１３が配置されている。液晶モジュール１３は外部からの信号を受けて、表示部に映像を表示するものである。液晶モジュール１３は正面側の有効ディスプレイ領域１３０がフロントキャビネット１１の窓部１１０より露出するように、フロントキャビネット１１とリヤキャビネット１２の間の空間に配置されている。
【００２１】
図２に示すようにリヤキャビネット１２の右上部には、開口部１２１と、開口部１２１が形成された挿入凹部１２０とが形成されている。開口部１２１はカード装着装置３の一部を形成している。この開口部１２１よりカードＣｄを挿入することができるものであり、カードＣｄはたとえば、限定受信システムの暗号解除用カード（Ｂ−ＣＡＳカード）やＰＣカード等を挙げることができる。
【００２２】
図３は図２に示す液晶表示装置のリヤキャビネットをはずした状態の背面図であり、図４は図２に示す液晶表示装置をＸ−Ｘ線で切断した断面図である。図３に示すように、フロントキャビネット１１の背面側に液晶モジュール１３が取り付けられている。液晶モジュール１３は金属板を切り曲げてバスタブ状に形成されたリヤフレーム１３１の内部にバックライト、液晶セル等の光学装置（いずれも不図示）が配置されている。また、リヤフレーム１３１の背面には、液晶モジュール１３の動作を制御するためのメイン基板１３２と、カードＣｄが装着されるカード装着装置３とが取り付けられている。
【００２３】
リヤフレーム１３１の背面は切り曲げて形成された台座部１３３を有している。台座部１３３はリヤフレーム１３１の背面より所定の角度で切り起された立ち上がり部と、リヤフレーム１３１の背面と平行になるように立ち上がり部の先端を折り曲げて形成された取り付け部とを有している。台座部１３３の取り付け部と接触するようにメイン基板１３２が設置され、ねじ止めされることで、メイン基板１３２は固定されている。
【００２４】
図３に示すように、カード装着装置３は、カードＣｄが装着されるカード読取装置３１と、カード読取装置３１が実装された基板３２とを有している。基板３２はカード読取装置３１よりもわずかに大きな形状を有するものである。カード読取装置３１が実装された基板３２はリヤフレーム１３１の背面に形成された台座部１３３にカード読取装置３１が基板３２に対してリヤフレーム１３１と反対側となるようにねじにて固定されている。カード読取装置３１は、カードＣｄが装着されるカード装着口３１１を有している。
【００２５】
図３に示すように、カード装着装置３において、カード読取装置３１のカード装着口３１１がリヤキャビネット１２に形成されている開口部１２１から離れて形成されている。この、カード装着口３１１と開口部１２１の間には、リヤフレーム１３１を切り曲げることで形成されたカード導入部４が備えられている。カード導入部４は、リヤキャビネット１２の外側から見て、開口部１２１の長手方向中央と重なる位置に１個形成されているものである。
【００２６】
図３及び図４に示すように、カード導入部４はリヤフレーム１３１より切り起された支持部４１と、支持部４１の先端部を折り曲げて形成されたガイド部４２とを有している。図４に示すように、ガイド部４２の先端部がカード装着装置３側に折り曲げてられている。
【００２７】
支持部４１と開口部１２１との隙間が、カードＣｄの先端が挟まらない長さとなるように、また、ガイド部４２の先端部とカード装着装置３との隙間も同様にカードＣｄの先端が挟まらない長さとなるように、カード導入部４が形成されている。ここで、リヤフレーム１３１に切込みを入れてカード導入部４を成型するときには、リヤフレーム１３１の背面側より切削工具が当てられて、プレスされることで、端部のバリが正面側に向くように形成されている。このように、端部のバリが正面側に向くことで、カードＣｄを挿入するときに、バリに当たってカードＣｄの挿入がうまくいきにくかったり、バリによってカードＣｄの表面が削られたりする不具合を防ぐことが可能である。
【００２８】
本発明にかかるカード装着装置の他の例について説明する。図５は本発明にかかるカード装着装置の他の例の図４と同じ線で切断した断面図である。図５に示すカード装着装置３ｂは、カード導入部４ｂが異なる以外は、図４に示すカード装着部材３と同じ構造を有しており、実質上同一の構成には同一の符号が付してある。
【００２９】
図５に示すように、カード導入部４ｂは支持部４１ｂとガイド部４２ｂとが曲面部４３ｂで連結されている。カードＣｄがカード装着装置３ｂに装着されるときに、開口１２１とカード導入部４ｂとの間の間隙に引っかかるのを抑制することが可能である。これにより、カードＣｄを装着するときに、カードＣｄの先端がカード導入部４ｂに引っかかり、カードＣｄが変形したり、破損したりするのを抑制することが可能である。
【００３０】
本発明にかかるカード装着装置のさらに他の例について説明する。図６は本発明にかかるカード装着装置のさらに他の例の図４と同じ線で切断した断面図である。図６に示すカード装着装置３ｃは、カード導入部４ｃが異なる以外は、図４に示すカード装着部材３と同じ構造を有しており、実質上同一の構成には同一の符号が付してある。
【００３１】
図６に示すように、カード導入部４ｃは支持部４１とガイド部４２ｃとを有している。ガイド部４２ｃは支持部４１と連結されており、支持部４１からカード読取装置３１対して、カード読取装置３１のカード挿入口３１１に向けて傾斜している。このように、ガイド部４２ｃが傾斜していることで、カードＣｄの先端が、正確にカード読取装置３１のカード装着口３１１に導かれ、カード読取装置３１に装着される。これにより、カードＣｄが傾いて挿入された場合であっても、カードＣｄを変形させたり、破損させたりすることなく、正確に、カード読取装置３１に装着される。
【００３２】
なお、支持部４１とガイド部４２ｃの連結部は、開口部１２１のリヤフレーム１３１側の面が含まれる平面よりも、リヤフレーム１３１側に形成されている。これにより、開口部１２１とカード導入部４ｃの間隙にカードＣｄが引っかかりにくくなり、それだけ、カードの変形、破損等の不具合が発生するのを抑制することが可能である。
【００３３】
以上、発明の実施形態を具体的に説明したが、本発明は上記実施形態に限定するものではなく、その要旨を逸脱しない範囲で種々変更可能である。
【産業上の利用可能性】
【００３４】
本発明は、液晶表示装置やＤＶＤレコーダ等のＡＶ機器に適用可能である。
【図面の簡単な説明】
【００３５】
【図１】本発明にかかるカードスロットを備えたＡＶ機器の一例である液晶表示装置の正面側から見た斜視図である。
【図２】図１に示す液晶表示装置の背面側から見た斜視図である。
【図３】図２に示す液晶表示装置のリヤキャビネットをはずした状態の背面図である。
【図４】図２に示す液晶表示装置を４−４線で切断した断面図である。
【図５】本発明にかかるカード装着装置の他の例の図４と同じ線で切断した断面図である。
【図６】本発明にかかるカード装着装置のさらに他の例の図４と同じ線で切断した断面図である。
【図７】従来のカード装着装置の断面図である。
【符号の説明】
【００３６】
１  モニタ本体
１１  フロントキャビネット
１２  リヤキャビネット
１３  液晶モジュール
２  スタンド
３  カード装着装置
３１  カード読取装置
３２  基板
【図１】
0005012364.tif 000002
【図２】
0005012364.tif 000003
【図３】
0005012364.tif 000004
【図４】
0005012364.tif 000005
【図５】
0005012364.tif 000006
【図６】
0005012364.tif 000007
【図７】
0005012364.tif 000008